(57)【要約】  リンクアグリゲーション技術を利用した無線通信において所定の通信品質を確保できる無線伝送システム、無線伝送装置、無線伝送方法及び無線伝送プログラムを提供する。無線伝送システム１００では、第１の装置１０１及び第２の装置１０２が、複数の物理リンクを並行利用する無線伝送路により無線データ通信を行う。各装置において、入出力ポート１１１乃至１１３はデータを入出力する。複数の無線信号処理手段１４１乃至１４３は、それぞれ異なる物理リンクを制御し、物理リンク毎の受信信号レベルを測定して相手側装置に通知する。リンクアグリゲーション制御手段１３０は、物理リンク毎の信号レベルに基づいて、物理リンクの優先度をそれぞれ決定する。パケット転送処理手段１４１乃至１４３は、無線伝送路を構成する物理リンクのうち、所定の容量の使用可能帯域を有しかつ優先度の高い物理リンクをデータ送出先として選択する。
2013001732.tif 000002
【特許請求の範囲】
【請求項１】
第１の装置及び第２の装置が、複数の物理リンクを並行利用する無線伝送路により無線データ通信を行い、
前記第１の装置及び前記第２の装置は、
データの入出力を行う入出力ポートと、
それぞれ異なる前記物理リンクを制御するとともに、前記物理リンク毎の受信信号レベルを測定し、前記受信信号レベルを相手側装置に通知する複数の無線信号処理手段と、
相手側装置の前記無線信号処理手段から通知される前記物理リンク毎の信号レベルに基づいて、前記物理リンクの優先度をそれぞれ決定するリンクアグリゲーション制御手段と、
前記無線伝送路を構成する前記物理リンクのうち、所定の容量の使用可能帯域を有しかつ前記優先度の高い前記物理リンクをデータ送出先として選択するパケット転送処理手段とを有する
無線伝送システム。
【請求項２】
第１の装置及び第２の装置が、複数の物理リンクを並行利用する無線伝送路により無線データ通信を行い、
前記第１の装置及び前記第２の装置は、
データの入出力を行う入出力ポートと、
それぞれ異なる前記物理リンクを制御する複数の無線信号処理手段と、
前記無線伝送路を構成する前記物理リンクのうち、所定の容量の使用可能帯域を有しかつ優先度の高い前記物理リンクをデータ送出先として選択するパケット転送処理手段とを有し、
前記第２の装置の無線信号処理手段は、前記物理リンク毎の受信信号レベルを測定し、前記受信信号レベルを前記第１の装置に通知し、
前記第１の装置は、前記第２の装置から通知される前記物理リンク毎の信号レベルに基づいて、前記物理リンクの優先度をそれぞれ決定するとともに、前記優先度を、前記第１の装置及び前記第２の装置のパケット転送処理手段に通知するリンクアグリゲーション制御手段をさらに有する
無線伝送システム。
【請求項３】
第１の装置及び第２の装置が、複数の物理リンクを並行利用する無線伝送路により無線データ通信を行い、
前記第１の装置及び前記第２の装置は、
データの入出力を行う入出力ポートと、
それぞれ異なる前記物理リンクを制御する複数の無線信号処理手段と、
前記無線伝送路を構成する前記物理リンクのうち、所定の容量の使用可能帯域を有しかつ優先度の高い前記物理リンクをデータ送出先として選択するパケット転送処理手段とを有し、
前記第１の装置の無線信号処理手段は、前記物理リンク毎の受信信号レベルを測定し、
前記第１の装置は、前記受信信号レベルに基づいて、前記物理リンクの優先度をそれぞれ決定するとともに、前記優先度を、前記第１の装置及び前記第２の装置のパケット転送処理手段に通知するリンクアグリゲーション制御手段をさらに有する
無線伝送システム。
【請求項４】
前記無線信号処理手段は、通知された前記受信信号レベルに基づいて、前記物理リンク毎の変調方式を決定し、
前記リンクアグリゲーション制御手段は、前記物理リンク毎の前記変調方式に基づいて、前記物理リンク各々の前記優先度を決定する
請求項１乃至３いずれか１項記載の無線伝送システム。
【請求項５】
前記データはパケット優先度を含んでおり、
前記パケット転送処理手段は、前記パケット優先度により決定される順序に従って、前記優先度の高い前記物理リンクに前記データを送出する
請求項１乃至４いずれか１項記載の無線伝送システム。
【請求項６】
データの入出力を行う入出力ポートと、
無線伝送路を構成し並行利用される複数の物理リンクの１つを制御するとともに、前記物理リンク毎の受信信号レベルを測定し、前記受信信号レベルを相手側装置に通知する複数の無線信号処理手段と、
相手側装置の前記無線信号処理手段から通知される前記物理リンク毎の信号レベルに基づいて、前記物理リンクの優先度をそれぞれ決定するリンクアグリゲーション制御手段と、
前記無線伝送路を構成する前記物理リンクのうち、所定の容量の使用可能帯域を有しかつ前記優先度の高い前記物理リンクをデータ送出先として選択するパケット転送処理手段とを有する
無線伝送装置。
【請求項７】
前記無線信号処理手段は、通知された前記受信信号レベルに基づいて、前記物理リンク毎の変調方式を決定し、
前記リンクアグリゲーション制御手段は、前記物理リンク毎の前記変調方式に基づいて、前記物理リンク各々の前記優先度を決定する
請求項６記載の無線伝送装置。
【請求項８】
前記データはパケット優先度を含んでおり、
前記パケット転送処理手段は、前記パケット優先度により決定される順序に従って、前記優先度の高い前記物理リンクに前記データを送出する
請求項６乃至７いずれか１項記載の無線伝送装置。
【請求項９】
無線伝送路を構成し並行利用される複数の物理リンクをそれぞれ制御するとともに、前記物理リンク毎の受信信号レベルをそれぞれ測定し、前記受信信号レベルを通信相手に通知し、
通信相手から通知される前記物理リンク毎の信号レベルに基づいて、前記物理リンクの優先度をそれぞれ決定し、
前記無線伝送路を構成する前記物理リンクのうち、所定の容量の使用可能帯域を有しかつ前記優先度の高い前記物理リンクをデータ送出先として選択する
無線伝送方法。
【請求項１０】
コンピュータを、
無線伝送路を構成し並行利用される複数の物理リンクをそれぞれ制御するとともに、前記物理リンク毎の受信信号レベルをそれぞれ測定し、前記受信信号レベルを通信相手に通知し、
通信相手から通知される前記物理リンク毎の信号レベルに基づいて、前記物理リンクの優先度をそれぞれ決定し、
前記無線伝送路を構成する前記物理リンクのうち、所定の容量の使用可能帯域を有しかつ前記優先度の高い前記物理リンクをデータ送出先として選択するよう動作させる
無線伝送プログラムが格納された非一時的なコンピュータ可読媒体。
【発明の詳細な説明】
【技術分野】
【０００１】
本発明は、無線伝送システム、無線伝送装置、無線伝送方法及び無線伝送プログラムに関し、特にリンクアグリゲーション技術を利用した無線通信において所定の通信品質を確保できる無線伝送システム、無線伝送装置、無線伝送方法及び無線伝送プログラムに関する。
【背景技術】
【０００２】
今日、複数の伝送装置間で無線通信を利用して信号の伝送を行う無線伝送システムが広く利用されている。無線伝送システムは、伝送装置間に固定のケーブルなどを付設することを要せず、電波を利用して信号の伝送を行う。【０００３】
近年では、無線伝送システムにおける伝送レートを向上させるため、無線信号を、例えば２５６ＱＡＭ（Ｑｕａｄｒａｔｕｒｅ  Ａｍｐｌｉｔｕｄｅ  Ｍｏｄｕｌａｔｉｏｎ：直交振幅変調）のような多値の変調方式、及び高速な変調速度で変調する手法が用いられている。しかしながら、無線伝送システムは、空気中に無線信号を伝搬させて通信を行うという特性により、無線伝送リンク中の様々な要因による影響を受けやすく、通信品質が劣化しやすい。そのため、たとえ上述の変調方式等を用いたとしても、誤り訂正符号を用いた誤り訂正処理等に膨大なオーバーヘッドが必要となる。結果として、無線伝送システムは、固定のケーブルを介した有線伝送システムと比べ、通信帯域を大きくすることが困難であるという制約を有している。【０００４】
通信帯域の増大という課題に対応するものとして、Ｅｔｈｅｒｎｅｔ（登録商標）のようなパケット通信の分野においては、複数の物理リンクを束ねて１つの仮想リンクとして使用できるリンクアグリゲーション技術がＩＥＥＥ８０２．３ａｄとして規定されている。ここで、物理リンクとは、データリンク層からのサービス要求に応じて電気信号の伝送を行う物理層のインフラストラクチャ、換言すれば物理的な伝送路のことをいう。リンクアグリゲーションでは、例えば１００Ｍｂｐｓの物理リンクを５本束ねることにより、５００Ｍｂｐｓの仮想リンクとして使用することができる。
【先行技術文献】
【特許文献】
【０００５】
【特許文献１】特開２００９−２３２４００号公報
【発明の概要】
【発明が解決しようとする課題】
【０００６】
このようなリンクアグリゲーション技術を無線伝送システムにも適用することができれば、その通信帯域を増大させることが可能となると考えられる。【０００７】
リンクアグリゲーションでは、仮想リンクを使って信号を伝送する際、伝送装置が、どの物理リンクにフレームを入力するかを具体的に選択する必要がある。しかし、ＩＥＥＥ８０２．３ａｄでは、リンクアグリゲーションにおける物理リンク選択のルールは規定されていない。一般的には、伝送装置は、送信フレームのヘッダフィールド（ＭＡＣアドレス、ＶＬＡＮタグ、ＩＰアドレスなど）、物理リンクの固有の識別子（物理ポートＩＤなど）、予め設定された優先度等のパラメータをもとに、所定の計算アルゴリズムに従って、送信フレームの転送先となる物理リンクを決定している。このような物理リンクの選択アルゴリズムにおいては、物理リンクの状態は考慮されていない。【０００８】
上述のように、無線伝送システムでは、無線伝送リンクの通信品質は劣化しやすい。そのため、無線伝送システムにリンクアグリゲーションをそのまま適用した場合、伝送装置は、たとえ高優先トラヒックであっても、信号品質が劣化している無線伝送リンクにフレームを転送してしまうことが起こり得る。このとき、受信側の伝送装置が、受信信号レベルが低い無線伝送リンクで伝送された信号を復調することができなければ、伝送されたフレームは損失となってしまう。そのため、従来のリンクアグリゲーション技術では、高優先トラヒックの品質を保証することができないという問題がある。【０００９】
一方、無線伝送リンクの受信信号レベルが低い場合であっても、例えば、１６ＱＡＭやＱＰＳＫ（Ｑｕａｄｒａｔｕｒｅ  Ｐｈａｓｅ  Ｓｈｉｆｔ  Ｋｅｙｉｎｇ）のような少値の変調方式を受信信号レベルに応じて自動的に選択することができる適応変調無線方式（ＡＭＲ：Ａｄａｐｔｉｖｅ  Ｍｏｄｕｌａｔｉｏｎ  Ｒａｄｉｏ）を適用するならば、フレームの損失を抑制しつつ復調することが可能となる。しかし、このような少値の変調方式は伝送レートが比較的低いため、高優先トラヒックの伝送に十分な帯域を得ることができないという問題がある。【００１０】
そこで、リンクアグリゲーション技術を適用した無線伝送システムにおいては、各無線伝送リンクの品質、すなわち帯域に応じた、フレームの分配アルゴリズムが必要となる。【００１１】
本発明は、このような問題点を解決するためになされたものであり、リンクアグリゲーション技術を利用した無線通信において所定の通信品質を確保できる無線伝送システム、無線伝送装置、無線伝送方法及びコンピュータ可読媒体を提供することを目的とする。
【課題を解決するための手段】
【００１２】
本発明に係る無線伝送システムは、第１の装置及び第２の装置が、複数の物理リンクを並行利用する無線伝送路により無線データ通信を行う無線伝送システムであって、前記第１の装置及び前記第２の装置は、データの入出力を行う入出力ポートと、それぞれ異なる前記物理リンクを制御するとともに、前記物理リンク毎の受信信号レベルを測定し、前記受信信号レベルを相手側装置に通知する複数の無線信号処理手段と、相手側装置の前記無線信号処理手段から通知される前記物理リンク毎の信号レベルに基づいて、前記物理リンクの優先度をそれぞれ決定するリンクアグリゲーション制御手段と、前記無線伝送路を構成する前記物理リンクのうち、所定の容量の使用可能帯域を有しかつ前記優先度の高い前記物理リンクをデータ送出先として選択するパケット転送処理手段とを有するものである。【００１３】
本発明に係る他の無線伝送システムは、第１の装置及び第２の装置が、複数の物理リンクを並行利用する無線伝送路により無線データ通信を行う無線伝送システムであって、前記第１の装置及び前記第２の装置は、データの入出力を行う入出力ポートと、それぞれ異なる前記物理リンクを制御する複数の無線信号処理手段と、前記無線伝送路を構成する前記物理リンクのうち、所定の容量の使用可能帯域を有しかつ優先度の高い前記物理リンクをデータ送出先として選択するパケット転送処理手段とを有し、前記第２の装置の無線信号処理手段は、前記物理リンク毎の受信信号レベルを測定し、前記受信信号レベルを前記第１の装置に通知し、前記第１の装置は、前記第２の装置から通知される前記物理リンク毎の信号レベルに基づいて、前記物理リンクの優先度をそれぞれ決定するとともに、前記優先度を、前記第１の装置及び前記第２の装置のパケット転送処理手段に通知するリンクアグリゲーション制御手段をさらに有するものである。【００１４】
本発明に係る他の無線伝送システムは、第１の装置及び第２の装置が、複数の物理リンクを並行利用する無線伝送路により無線データ通信を行う無線伝送システムであって、前記第１の装置及び前記第２の装置は、データの入出力を行う入出力ポートと、それぞれ異なる前記物理リンクを制御する複数の無線信号処理手段と、前記無線伝送路を構成する前記物理リンクのうち、所定の容量の使用可能帯域を有しかつ優先度の高い前記物理リンクをデータ送出先として選択するパケット転送処理手段とを有し、前記第１の装置の無線信号処理手段は、前記物理リンク毎の受信信号レベルを測定し、前記第１の装置は、前記受信信号レベルに基づいて、前記物理リンクの優先度をそれぞれ決定するとともに、前記優先度を、前記第１の装置及び前記第２の装置のパケット転送処理手段に通知するリンクアグリゲーション制御手段をさらに有するものである。【００１５】
本発明に係る無線伝送装置は、データの入出力を行う入出力ポートと、無線伝送路を構成し並行利用される複数の物理リンクの１つを制御するとともに、前記物理リンク毎の受信信号レベルを測定し、前記受信信号レベルを相手側装置に通知する複数の無線信号処理手段と、相手側装置の前記無線信号処理手段から通知される前記物理リンク毎の信号レベルに基づいて、前記物理リンクの優先度をそれぞれ決定するリンクアグリゲーション制御手段と、前記無線伝送路を構成する前記物理リンクのうち、所定の容量の使用可能帯域を有しかつ前記優先度の高い前記物理リンクをデータ送出先として選択するパケット転送処理手段とを有するものである。【００１６】
本発明に係る無線伝送方法は、無線伝送路を構成し並行利用される複数の物理リンクをそれぞれ制御するとともに、前記物理リンク毎の受信信号レベルをそれぞれ測定し、前記受信信号レベルを通信相手に通知し、通信相手から通知される前記物理リンク毎の信号レベルに基づいて、前記物理リンクの優先度をそれぞれ決定し、前記無線伝送路を構成する前記物理リンクのうち、所定の容量の使用可能帯域を有しかつ前記優先度の高い前記物理リンクをデータ送出先として選択するものである。【００１７】
本発明に係る無線伝送プログラムが格納された非一時的なコンピュータ可読媒体は、コンピュータを、無線伝送路を構成し並行利用される複数の物理リンクをそれぞれ制御するとともに、前記物理リンク毎の受信信号レベルをそれぞれ測定し、前記受信信号レベルを通信相手に通知し、通信相手から通知される前記物理リンク毎の信号レベルに基づいて、前記物理リンクの優先度をそれぞれ決定し、前記無線伝送路を構成する前記物理リンクのうち、所定の容量の使用可能帯域を有しかつ前記優先度の高い前記物理リンクをデータ送出先として選択するよう動作させるものである。
【発明の効果】
【００１８】
本発明により、リンクアグリゲーション技術を利用した無線通信において所定の通信品質を確保できる無線伝送システム、無線伝送装置、無線伝送方法及びコンピュータ可読媒体を提供することができる。
【図面の簡単な説明】
【００１９】
【図１】本発明の実施の形態１の構成を示す図である。
【図２】本発明の実施の形態１の動作を示す図である。
【図３】本発明の実施の形態１の動作を示す図である。
【図４】本発明の実施の形態２の動作を示す図である。
【発明を実施するための形態】
【００２０】
以下、本発明を適用した具体的な実施の形態について、図面を参照しながら詳細に説明する。
【００２１】
＜実施の形態１＞
まず、図１を用いて、本発明の実施の形態１の構成について説明する。
【００２２】
本実施の形態にかかる無線伝送システム１００は、無線伝送路を介して互いに通信可能な無線伝送装置１０１及び無線伝送装置１０２を含む。無線伝送装置１０１及び無線伝送装置１０２は、いずれも同様の構成を備える。ここでは、説明の簡略化のため、無線伝送装置１０１の構成を説明する。
【００２３】
無線伝送装置１０１は、入出力ポート１１１乃至１１３、パケット転送処理手段１２０、リンクアグリゲーション制御手段１３０、無線信号処理手段１４１乃至１４３を有する。図１においては、入出力ポート１１１乃至１１３、無線信号処理手段１４１乃至１４３をそれぞれ３組ずつ記載しているが、無線伝送装置１０１はかかる構成に限定されるものではなく、１以上の入出力ポートと、複数の無線信号処理手段を有するものであればよい。
【００２４】
入出力ポート１１１乃至１１３は、無線伝送装置１０１が無線伝送路により送受信するデータ信号を、外部装置との間で入出力するための通信ポートである。
【００２５】
無線信号処理手段１４１乃至１４３は、無線通信アンテナをそれぞれ有し、それぞれ独立した物理リンク、すなわち無線伝送リンクを、無線伝送装置１０２との間で形成する。ここで、複数の無線伝送リンクの物理層の仕様は、それぞれ異なるものであってよい。無線信号処理手段１４１乃至１４３は、物理層の異なるこれら伝送路をそれぞれ制御し、データリンク層におけるパケット転送を統一的な手順で行うことが可能である。
【００２６】
これら複数の無線伝送リンクは、後述のリンクアグリゲーション制御手段１３０及びパケット転送制御手段１２０により、仮想的に束ねられた１つの伝送路、すなわちリンクアグリゲーショングループ（ＬＡＧ：Ｌｉｎｋ  Ａｇｇｒｅｇａｔｉｏｎ  Ｇｒｏｕｐ）１６０として扱われる。
【００２７】
無線信号処理手段１４１乃至１４３は、これらの無線伝送リンクを介して、後述するパケット転送処理手段１２０から入力されるパケットを、無線伝送装置１０２に送信する。具体的には、無線信号処理手段１４１乃至１４３は、無線送受信アンテナをそれぞれ制御して、送信データを所定の方式により変調した無線信号を送信する。また、無線信号処理手段１４１乃至１４３は、無線送受信アンテナにより受信した無線信号を復調して受信データとする。
【００２８】
また、無線信号処理手段１４１乃至１４３は、無線受信アンテナが受信した信号のレベルを測定し、測定結果を後述のリンクアグリゲーション制御手段１３０に転送する処理を行う。
【００２９】
パケット転送処理手段１２０は、入出力ポート１１１乃至１１３や無線信号処理手段１４１乃至１４３から入力されたパケットの宛先情報に従って、転送経路を選択する。すなわち、パケットを出力経路へ転送する処理を行う。具体的には、入出力ポート１１１乃至１１３から入力されたパケットを、後述するリンクアグリゲーション制御手段１３０から通知される優先度に基づいて、ＬＡＧ１６０を構成している特定の無線伝送リンクへと転送する。つまり、無線信号処理手段１４１乃至１４３のいずれかにパケットを転送する。
【００３０】
リンクアグリゲーション制御手段１３０は、ＬＡＧ１６０を構成している無線伝送リンクの管理及び優先度の制御を行う。すなわち、リンクアグリゲーション制御手段１３０は、無線信号処理手段１４１乃至１４３から通知された受信信号レベルに基づいて優先度を決定し、上述のパケット転送処理手段１２０に通知する。
【００３１】
つぎに、図２を用いて、本実施の形態の動作について説明する。
【００３２】
無線伝送装置２０１及び２０２は、いずれも上述の無線伝送装置１０１及び無線伝送装置１０２と同様の構成を備える。但し、説明の便宜のため、図２においては、無線伝送装置２０１がもっぱら送信側として、無線伝送装置２０２がもっぱら受信側として動作する場合を例示している。
【００３３】
無線信号処理手段２１１と２１４、２１２と２１５、及び２１３と２１６は、それぞれ独立した無線伝送リンク２２１乃至２２３を形成している。無線伝送装置２０１及び２０２は、この無線伝送リンク２２１乃至２２３により構成されるＬＡＧを介し、双方向のデータ通信を行うことが可能である。具体的には、本実施の形態では、パケット２３１乃至２３３が、無線伝送リンク２２１乃至２２３からなるＬＡＧを通して、無線伝送装置２０１から無線伝送装置２０２の方向に送信されるものとする。
【００３４】
図２においてパケット２３１乃至２３３に付されているＨ、Ｍ、Ｌの表記は、それぞれパケットの優先度を示している。つまり、パケット２３１乃至２３３は、それぞれ高優先パケット、中優先パケット、低優先パケットである。但し、これはパケットに付される優先度が３つであることを限定するものではない。
【００３５】
本実施の形態において、無線伝送装置２０１及び２０２は以下に示すように動作する。
【００３６】
まず、無線伝送装置２０２の無線信号処理手段２１４乃至２１６は、無線通信アンテナの受信信号レベルを測定する。ここで、無線信号処理手段２１４乃至２１６のそれぞれで測定された受信信号レベルは、無線信号処理手段２１４では高、無線信号処理手段２１５では中、無線信号処理手段２１６では低であったものとする。
【００３７】
つぎに、無線信号処理手段２１４乃至２１６は、その測定結果を、無線伝送リンク２２１乃至２２３を通して、無線伝送装置２０１にフィードバックする。
【００３８】
無線伝送装置２０１のリンクアグリゲーション制御手段２４０は、無線信号処理手段２１１乃至２１３がそれぞれ受信した、無線伝送装置２０２での受信信号レベルの測定結果を取得する。リンクアグリゲーション制御手段２４０は、その測定結果に含まれる、無線信号処理手段２１４乃至２１６での受信信号レベルに従って、それらの無線信号制御手段に対応する無線伝送リンクのＬＡＧ内での優先度を決定する。具体的には、本実施の形態の場合、無線伝送リンク２２１の優先度は１、無線伝送リンク２２２の優先度は２、無線伝送リンク２２３の優先度は３と決定される。ここで、優先度は、その数字が小さいほど優先度が高いものとする。受信レベルの高い無線伝送リンクほど優先度を高めるのは、受信信号レベルの高い無線伝送リンクほど対向側で正しく復調できる可能性が高く、結果としてパケット損失率を軽減することができるからである。
【００３９】
つづいて、無線伝送装置２０１のパケット転送処理手段２５０は、入力ポートから受信したパケット２３１、２３２、２３３の宛先情報の解析等の処理を行う。その後、パケット転送処理手段２５０は、リンクアグリゲーション制御手段２４０で決定された優先度に基づく順番に従って決定される無線伝送リンクに、パケットの優先度に基づく順番に従って、パケットを順次転送する。
【００４０】
例えば、図３に示すように、無線伝送リンク２２１（優先度１）、２２２（優先度２）、２２３（優先度３）の帯域がそれぞれ５０Ｍｂｐｓであり、高優先パケット、中優先パケット、低優先パケットの入力レートがそれぞれ４０Ｍｂｐｓ、５０Ｍｂｐｓ、８０Ｍｂｐｓであるものとする。この場合、まず高優先パケットが、優先度１の無線伝送リンク２２１の帯域４０Ｍｂｐｓを使用して転送される。つづいて、中優先パケットが、無線伝送リンク２２１の帯域の残りの帯域１０Ｍｂｐｓと優先度２の無線伝送リンク２２２の帯域４０Ｍｂｐｓとを使用して転送される。最後に、低優先パケットが、無線伝送リンク２２２の帯域の残り１０Ｍｂｐｓと優先度３の無線伝送リンク２２３の帯域５０Ｍｂｐｓとを使用して転送される。ここで、パケットの入力レートに対して無線伝送リンクの帯域が不足した場合、転送しきれないパケットは廃棄されることとなる。
【００４１】
このように、無線伝送リンクの優先度に基づく順番に従って決定される無線伝送リンクに、パケットの優先度に基づく順番に従って順次パケットを割当てていくことにより、高優先度のパケットほど、受信状態の良い無線伝送リンクを使用して転送することが可能となる。
【００４２】
本実施の形態においては、高優先トラヒックに対して、品質の良い物理リンクを選択して送信することで、高優先トラヒックのパケット損失率を軽減することができる。
【００４３】
また、本実施の形態においては、ＬＡＧを構成する無線伝送リンクの優先度順に従って高優先トラヒックから順に転送していくため、複雑な処理を追加することなく優先制御を行うことができる。
【００４４】
＜実施の形態２＞
つぎに、本発明の実施の形態２の構成について説明する。本実施の形態では、無線伝送リンクの制御にＡＭＲを利用する。ＡＭＲとは、適応変調無線方式（ＡＭＲ：Ａｄａｐｔｉｖｅ  Ｍｏｄｕｌａｔｉｏｎ  Ｒａｄｉｏ）、すなわち変調方式を自動的に選択することができる無線伝送リンクの制御方式である。
【００４５】
本実施の形態の構成要素は、実施の形態１と同様である。すなわち、図１に示す無線伝送装置１０１及び無線伝送装置１０２を備え、図２に示すように、これら装置が無線伝送リンク２２１乃至２２３を通して無線通信を行う。
【００４６】
一方、本実施の形態は、リンクアグリゲーション制御手段１３０及び無線信号処理手段１４１乃至１４３の動作に特徴を有する。
【００４７】
図１を用いて、リンクアグリゲーション制御手段１３０及び無線信号処理手段１４１乃至１４３の動作について説明する。
【００４８】
まず、無線信号処理手段１４１乃至１４３は、相手側装置から受信信号レベルの通知を受けると、その受信信号レベルに応じた適切な変調方式を選択する。具体的には、受信信号レベルが高い場合には、多値変調方式（例えば２５６ＱＡＭ）等の伝送レートが高い変調方式を、受信信号レベルが低い場合には、少値変調方式（例えばＱＰＳＫ）等の伝送レートは低いが高い誤り訂正能力を持つ変調方式を選択する。これ以降、無線信号処理手段１４１乃至１４３は、ここで選択した変調方式を用いて、相手側装置との無線通信を行う。
【００４９】
ついで、無線信号処理手段１４１乃至１４３は、少なくともここで選択した変調方式を、リンクアグリゲーション制御手段２４０に通知する。
【００５０】
リンクアグリゲーション制御手段１３０は、無線信号処理手段１４１乃至１４３から選択された変調方式に応じて、無線伝送リンク２２１乃至２２３の優先度をそれぞれ決定する。すなわち、伝送レートの高い変調方式が選択された無線伝送リンクには高い優先度を、伝送レートの低い変調方式が選択された無線伝送リンクには低い優先度を付与する。
【００５１】
図２を用いて、本実施の形態の具体的な動作例について説明する。
【００５２】
無線伝送装置２０１は、対向の無線伝送装置２０２から受信信号レベルのフィードバックを受ける。ここで、フィードバックされた受信信号レベルが、無線信号処理手段２１４では高、無線信号処理手段２１５では中、無線信号処理手段２１６では低であったものとする。
【００５３】
無線伝送装置２０１の図示しない無線信号処理手段では、受信した信号レベルから適切な変調方式を選択する。本実施の形態では、無線伝送リンク２２１から２２３の順に、選択される変調方式の伝送レートは低いものとなる。無線伝送リンク無線信号処理手段は、ここで選択した変調方式を、リンクアグリゲーション制御手段２４０に転送する。
【００５４】
リンクアグリゲーション制御手段２４０では、変調方式毎に定められた伝送可能帯域に基づいて、各無線伝送リンク２２１乃至２２３の、ＬＡＧ内における優先度を決定する。本実施の形態では、無線伝送リンク２２１は優先度１、無線伝送リンク２２２は優先度２、無線伝送リンク２２３は優先度３となる。
【００５５】
以降、無線伝送リンク２２１乃至２２３へのトラヒックの分配は、実施の形態１と同様の手順で行われる。すなわち、パケット転送処理手段２５０は、リンクアグリゲーション制御手段２４０で決定された優先度に基づく順番に従って決定される無線伝送リンクに、パケットの優先度に基づく順番に従って、パケットを順次転送する。
【００５６】
例えば、図４のように無線伝送リンク２２１（優先度１）、２２２（優先度２）、２２３（優先度３）の帯域がそれぞれ７０Ｍｂｐｓ、５０Ｍｂｐｓ、３０Ｍｂｐｓであり、高優先パケット、中優先パケット、低優先パケットの入力レートがそれぞれ４０Ｍｂｐｓ、５０Ｍｂｐｓ、８０Ｍｂｐｓであったものとする。この場合、まず、高優先パケットが、優先度１の無線伝送リンク２２１のうち帯域４０Ｍｂｐｓを使用して転送される。つづいて、中優先パケットが、無線伝送リンク２２１の残りの帯域３０Ｍｂｐｓと、優先度２の無線伝送リンク２２２の帯域２０Ｍｂｐｓを使用して転送される。最後に、低優先パケットが、無線伝送リンク２２２の帯域の残り３０Ｍｂｐｓと、優先度３の無線伝送リンク２２３の帯域３０Ｍｂｐｓを使用して転送される。なお、パケットの入力レートに対して無線伝送リンクの帯域が不足した場合、転送しきれないパケットは廃棄されることとなる。
【００５７】
本実施の形態においては、高優先トラヒックに対しては、伝送レートの高い変調方式を利用して送信することで、高優先トラヒックのパケットを高速かつ確実に伝送することができる。
【００５８】
以上、実施の形態を参照して本願発明を説明したが、本願発明は上記によって限定されるものではない。本願発明の構成や詳細には、発明のスコープ内で当業者が理解し得る様々な変更をすることができる。
【００５９】
例えば、上述の実施の形態は、無線伝送装置１０１及び無線伝送装置１０２のそれぞれが、リンクアグリゲーション制御手段１３０において無線伝送リンクの優先度の決定を行う機能を有するが、いずれか一方の無線伝送装置、例えば無線伝送装置１０１にのみかかる機能を備え、無線伝送装置１０１のリンクアグリゲーション制御手段１３０が、決定した優先度を対向側の無線伝送装置１０２のパケット転送制御手段１２０に通知し、無線伝送装置１０２のパケット転送制御手段１２０においては、この優先度を利用してトラヒックを制御することとしてもよい。この場合、優先度の決定を行う側である無線伝送装置１０１の無線信号処理手段１４１乃至１４３は、必ずしも受信信号レベルの測定及び無線伝送装置１０２への通知を行う機能を有していなくてもよい。また、対向側の無線伝送装置１０２は、リンクアグリゲーション制御手段１３０を有さなくてもよい。さらに、上述の実施の形態においては、無線伝送装置１０１及び無線伝送装置１０２は、それぞれ無線信号処理手段１４１乃至１４３において受信信号レベルを測定し、相手側装置に通知を行う機能を有することとしているが、無線伝送装置１０１にのみかかる機能を備え、測定した受信信号レベルを無線伝送装置１０１内のリンクアグリゲーション制御手段１３０に転送し、リンクアグリゲーション制御手段１３０が優先度を決定して、対向側の無線伝送装置１０２に通知するものであってもよい。この場合、無線伝送装置１０２の無線信号処理手段１４１乃至１４３は、受信信号レベルの測定及び相手側装置への通知を行う機能を有していなくてもよい。
【００６０】
また、上述の実施の形態では、本発明をハードウェアの構成として説明したが、本発明はこれに限定されるものではなく、任意の処理を、ＣＰＵ（Ｃｅｎｔｒａｌ  Ｐｒｏｃｅｓｓｉｎｇ  Ｕｎｉｔ）にコンピュータプログラムを実行させることにより実現することも可能である。この場合、コンピュータプログラムは、様々なタイプの非一時的なコンピュータ可読媒体（ｎｏｎ−ｔｒａｎｓｉｔｏｒｙ  ｃｏｍｐｕｔｅｒ  ｒｅａｄａｂｌｅ  ｍｅｄｉｕｍ）を用いて格納され、コンピュータに供給することができる。非一時的なコンピュータ可読媒体は、様々なタイプの実体のある記録媒体（ｔａｎｇｉｂｌｅ  ｓｔｏｒａｇｅ  ｍｅｄｉｕｍ）を含む。非一時的なコンピュータ可読媒体の例は、磁気記録媒体（例えばフレキシブルディスク、磁気テープ、ハードディスクドライブ）、光磁気記録媒体（例えば光磁気ディスク）、ＣＤ−ＲＯＭ（Ｒｅａｄ  Ｏｎｌｙ  Ｍｅｍｏｒｙ）、ＣＤ−Ｒ、ＣＤ−Ｒ／Ｗ、半導体メモリ（例えば、マスクＲＯＭ、ＰＲＯＭ（Ｐｒｏｇｒａｍｍａｂｌｅ  ＲＯＭ）、ＥＰＲＯＭ（Ｅｒａｓａｂｌｅ  ＰＲＯＭ）、フラッシュＲＯＭ、ＲＡＭ（ｒａｎｄｏｍ  ａｃｃｅｓｓ  ｍｅｍｏｒｙ））を含む。また、プログラムは、様々なタイプの一時的なコンピュータ可読媒体（ｔｒａｎｓｉｔｏｒｙ  ｃｏｍｐｕｔｅｒ  ｒｅａｄａｂｌｅ  ｍｅｄｉｕｍ）によってコンピュータに供給されてもよい。一時的なコンピュータ可読媒体の例は、電気信号、光信号、及び電磁波を含む。一時的なコンピュータ可読媒体は、電線及び光ファイバ等の有線通信路、又は無線通信路を介して、プログラムをコンピュータに供給できる。
【００６１】
この出願は、２０１１年６月２９日に出願された日本出願特願２０１１−１４４１０７を基礎とする優先権を主張し、その開示の全てをここに取り込む。
【００６２】
上記実施の形態の一部又は全部は、以下の付記のようにも記載されうるが、以下には限られない。
【００６３】
（付記１）
第１の装置及び第２の装置が、複数の物理リンクを並行利用する無線伝送路により無線データ通信を行う無線伝送システムであって、
前記第１の装置及び前記第２の装置は、
データの入出力を行う入出力ポートと、
それぞれ異なる前記物理リンクを制御するとともに、前記物理リンク毎の受信信号レベルを測定し、前記受信信号レベルを相手側装置に通知する複数の無線信号処理手段と、
相手側装置の前記無線信号処理手段から通知される前記物理リンク毎の信号レベルに基づいて、前記物理リンクの優先度をそれぞれ決定するリンクアグリゲーション制御手段と、
前記無線伝送路を構成する前記物理リンクのうち、所定の容量の使用可能帯域を有しかつ前記優先度の高い前記物理リンクをデータ送出先として選択するパケット転送処理手段とを有する
無線伝送システム。
【００６４】
（付記２）
第１の装置及び第２の装置が、複数の物理リンクを並行利用する無線伝送路により無線データ通信を行う無線伝送システムであって、
前記第１の装置及び前記第２の装置は、
データの入出力を行う入出力ポートと、
それぞれ異なる前記物理リンクを制御する複数の無線信号処理手段と、
前記無線伝送路を構成する前記物理リンクのうち、所定の容量の使用可能帯域を有しかつ優先度の高い前記物理リンクをデータ送出先として選択するパケット転送処理手段とを有し、
前記第２の装置の無線信号処理手段は、前記物理リンク毎の受信信号レベルを測定し、前記受信信号レベルを前記第１の装置に通知し、
前記第１の装置は、前記第２の装置から通知される前記物理リンク毎の信号レベルに基づいて、前記物理リンクの優先度をそれぞれ決定するとともに、前記優先度を、前記第１の装置及び前記第２の装置のパケット転送処理手段に通知するリンクアグリゲーション制御手段をさらに有する
無線伝送システム。
【００６５】
（付記３）
第１の装置及び第２の装置が、複数の物理リンクを並行利用する無線伝送路により無線データ通信を行う無線伝送システムであって、
前記第１の装置及び前記第２の装置は、
データの入出力を行う入出力ポートと、
それぞれ異なる前記物理リンクを制御する複数の無線信号処理手段と、
前記無線伝送路を構成する前記物理リンクのうち、所定の容量の使用可能帯域を有しかつ優先度の高い前記物理リンクをデータ送出先として選択するパケット転送処理手段とを有し、
前記第１の装置の無線信号処理手段は、前記物理リンク毎の受信信号レベルを測定し、
前記第１の装置は、前記受信信号レベルに基づいて、前記物理リンクの優先度をそれぞれ決定するとともに、前記優先度を、前記第１の装置及び前記第２の装置のパケット転送処理手段に通知するリンクアグリゲーション制御手段をさらに有する
無線伝送システム。
【００６６】
（付記４）
前記無線信号処理手段は、通知された前記受信信号レベルに基づいて、前記物理リンク毎の変調方式を決定し、
前記リンクアグリゲーション制御手段は、前記物理リンク毎の前記変調方式に基づいて、前記物理リンク各々の前記優先度を決定する
付記１乃至３いずれか１項記載の無線伝送システム。
【００６７】
（付記５）
前記データはパケット優先度を含んでおり、
前記パケット転送処理手段は、前記パケット優先度により決定される順序に従って、前記優先度の高い前記物理リンクに前記データを送出する
付記１乃至４いずれか１項記載の無線伝送システム。
【００６８】
（付記６）
データの入出力を行う入出力ポートと、
無線伝送路を構成し並行利用される複数の物理リンクの１つを制御するとともに、前記物理リンク毎の受信信号レベルを測定し、前記受信信号レベルを相手側装置に通知する複数の無線信号処理手段と、
相手側装置の前記無線信号処理手段から通知される前記物理リンク毎の信号レベルに基づいて、前記物理リンクの優先度をそれぞれ決定するリンクアグリゲーション制御手段と、
前記無線伝送路を構成する前記物理リンクのうち、所定の容量の使用可能帯域を有しかつ前記優先度の高い前記物理リンクをデータ送出先として選択するパケット転送処理手段とを有する
無線伝送装置。
【００６９】
（付記７）
データの入出力を行う入出力ポートと、
無線伝送路を構成し並行利用される複数の物理リンクの１つを制御する複数の無線信号処理手段と、
前記無線伝送路を構成する前記物理リンクのうち、所定の容量の使用可能帯域を有しかつ優先度の高い前記物理リンクをデータ送出先として選択するパケット転送処理手段と、
他の無線伝送装置から通知される前記物理リンク毎の信号レベルに基づいて、前記物理リンクの優先度をそれぞれ決定するとともに、前記優先度を、前記他の無線伝送装置のパケット転送処理手段に通知するリンクアグリゲーション制御手段とを有する
無線伝送装置。
【００７０】
（付記８）
データの入出力を行う入出力ポートと、
無線伝送路を構成し並行利用される複数の物理リンクの１つを制御するとともに、前記物理リンク毎の受信信号レベルを測定し、前記受信信号レベルを他の無線伝送装置に通知する複数の無線信号処理手段と、
前記無線伝送路を構成する前記物理リンクのうち、所定の容量の使用可能帯域を有しかつ優先度の高い前記物理リンクをデータ送出先として選択するパケット転送処理手段とを有する
無線伝送装置。
【００７１】
（付記９）
データの入出力を行う入出力ポートと、
無線伝送路を構成し並行利用される複数の物理リンクの１つを制御するとともに、前記物理リンク毎の受信信号レベルを測定する複数の無線信号処理手段と、
前記無線伝送路を構成する前記物理リンクのうち、所定の容量の使用可能帯域を有しかつ優先度の高い前記物理リンクをデータ送出先として選択するパケット転送処理手段と、
前記受信信号レベルに基づいて、前記物理リンクの優先度をそれぞれ決定するとともに、前記優先度を、前記パケット転送処理手段に通知するリンクアグリゲーション制御手段をさらに有する
無線伝送装置。
【００７２】
（付記１０）
前記リンクアグリゲーション制御手段は、決定した前記優先度を他の無線伝送装置にも通知する
付記９記載の無線伝送装置。
【００７３】
（付記１１）
データの入出力を行う入出力ポートと、
無線伝送路を構成し並行利用される複数の物理リンクの１つを制御する複数の無線信号処理手段と、
前記無線伝送路を構成する前記物理リンクのうち、所定の容量の使用可能帯域を有しかつ優先度の高い前記物理リンクをデータ送出先として選択するパケット転送処理手段とを有する
無線伝送装置。
【００７４】
（付記１２）
前記無線信号処理手段は、通知された前記受信信号レベルに基づいて、前記物理リンク毎の変調方式を決定し、
前記リンクアグリゲーション制御手段は、前記物理リンク毎の前記変調方式に基づいて、前記物理リンク各々の前記優先度を決定する
付記６乃至１１いずれか１項記載の無線伝送装置。
【００７５】
（付記１３）
前記データはパケット優先度を含んでおり、
前記パケット転送処理手段は、前記パケット優先度により決定される順序に従って、前記優先度の高い前記物理リンクに前記データを送出する
付記６乃至１２いずれか１項記載の無線伝送装置。
【００７６】
（付記１４）
無線伝送路を構成し並行利用される複数の物理リンクをそれぞれ制御するとともに、前記物理リンク毎の受信信号レベルをそれぞれ測定し、前記受信信号レベルを通信相手に通知し、
通信相手から通知される前記物理リンク毎の信号レベルに基づいて、前記物理リンクの優先度をそれぞれ決定し、
前記無線伝送路を構成する前記物理リンクのうち、所定の容量の使用可能帯域を有しかつ前記優先度の高い前記物理リンクをデータ送出先として選択する
無線伝送方法。
【００７７】
（付記１５）
無線伝送路を構成し並行利用される複数の物理リンクの１つを制御し、
前記無線伝送路を構成する前記物理リンクのうち、所定の容量の使用可能帯域を有しかつ優先度の高い前記物理リンクをデータ送出先として選択し、
通信相手から通知される前記物理リンク毎の信号レベルに基づいて、前記物理リンクの優先度をそれぞれ決定するとともに、前記優先度を、前記通信相手に通知する
無線伝送方法。
【００７８】
（付記１６）
無線伝送路を構成し並行利用される複数の物理リンクの１つを制御するとともに、前記物理リンク毎の受信信号レベルを測定し、前記受信信号レベルを通信相手に通知し、
前記無線伝送路を構成する前記物理リンクのうち、所定の容量の使用可能帯域を有しかつ優先度の高い前記物理リンクをデータ送出先として選択する
無線伝送方法。
【００７９】
（付記１７）
無線伝送路を構成し並行利用される複数の物理リンクの１つを制御するとともに、前記物理リンク毎の受信信号レベルを測定し、
前記受信信号レベルに基づいて、前記物理リンクの優先度をそれぞれ決定し、
前記無線伝送路を構成する前記物理リンクのうち、所定の容量の使用可能帯域を有しかつ優先度の高い前記物理リンクをデータ送出先として選択する
無線伝送方法。
【００８０】
（付記１８）
前記決定した前記優先度を通信相手にも通知する
付記１７記載の無線伝送方法。
【００８１】
（付記１９）
無線伝送路を構成し並行利用される複数の物理リンクの１つを制御し、
前記無線伝送路を構成する前記物理リンクのうち、所定の容量の使用可能帯域を有しかつ優先度の高い前記物理リンクをデータ送出先として選択する
無線伝送方法。
【００８２】
（付記２０）
通知された前記受信信号レベルに基づいて、前記物理リンク毎の変調方式を決定し、
前記物理リンク毎の前記変調方式に基づいて、前記物理リンク各々の前記優先度を決定する
付記１４乃至１９いずれか１項記載の無線伝送方法。
【００８３】
（付記２１）
前記データはパケット優先度を含んでおり、
前記パケット優先度により決定される順序に従って、前記優先度の高い前記物理リンクに前記データを送出する
付記１４乃至２０いずれか１項記載の無線伝送方法。
【００８４】
（付記２２）
コンピュータを、
無線伝送路を構成し並行利用される複数の物理リンクをそれぞれ制御するとともに、前記物理リンク毎の受信信号レベルをそれぞれ測定し、前記受信信号レベルを通信相手に通知し、
通信相手から通知される前記物理リンク毎の信号レベルに基づいて、前記物理リンクの優先度をそれぞれ決定し、
前記無線伝送路を構成する前記物理リンクのうち、所定の容量の使用可能帯域を有しかつ前記優先度の高い前記物理リンクをデータ送出先として選択するよう動作させる
無線伝送プログラム。
【００８５】
（付記２３）
コンピュータを、
無線伝送路を構成し並行利用される複数の物理リンクの１つを制御し、
前記無線伝送路を構成する前記物理リンクのうち、所定の容量の使用可能帯域を有しかつ優先度の高い前記物理リンクをデータ送出先として選択し、
通信相手から通知される前記物理リンク毎の信号レベルに基づいて、前記物理リンクの優先度をそれぞれ決定するとともに、前記優先度を、前記通信相手に通知するよう動作させる
無線伝送プログラム。
【００８６】
（付記２４）
コンピュータを、
無線伝送路を構成し並行利用される複数の物理リンクの１つを制御するとともに、前記物理リンク毎の受信信号レベルを測定し、前記受信信号レベルを通信相手に通知し、
前記無線伝送路を構成する前記物理リンクのうち、所定の容量の使用可能帯域を有しかつ優先度の高い前記物理リンクをデータ送出先として選択するよう動作させる
無線伝送プログラム。
【００８７】
（付記２５）
コンピュータを、
無線伝送路を構成し並行利用される複数の物理リンクの１つを制御するとともに、前記物理リンク毎の受信信号レベルを測定し、
前記受信信号レベルに基づいて、前記物理リンクの優先度をそれぞれ決定し、
前記無線伝送路を構成する前記物理リンクのうち、所定の容量の使用可能帯域を有しかつ優先度の高い前記物理リンクをデータ送出先として選択するよう動作させる
無線伝送プログラム。
【００８８】
（付記２６）
コンピュータを、
前記決定した前記優先度を通信相手にも通知するよう動作させる
付記２５記載の無線伝送プログラム。
【００８９】
（付記２７）
コンピュータを、
無線伝送路を構成し並行利用される複数の物理リンクの１つを制御し、
前記無線伝送路を構成する前記物理リンクのうち、所定の容量の使用可能帯域を有しかつ優先度の高い前記物理リンクをデータ送出先として選択するよう動作させる
無線伝送プログラム。
【００９０】
（付記２８）
コンピュータを、
通知された前記受信信号レベルに基づいて、前記物理リンク毎の変調方式を決定し、
前記物理リンク毎の前記変調方式に基づいて、前記物理リンク各々の前記優先度を決定する
付記２２乃至２７いずれか１項記載の無線伝送プログラム。
【００９１】
（付記２９）
コンピュータを、
前記データはパケット優先度を含んでおり、
前記パケット優先度により決定される順序に従って、前記優先度の高い前記物理リンクに前記データを送出する
付記２２乃至２９いずれか１項記載の無線伝送プログラム。
【産業上の利用可能性】
【００９２】
本発明は、移動体通信システムを初めとする様々な無線伝送システムに利用することが可能である。
【符号の説明】
【００９３】
１００  無線通信システム
１０１  無線通信装置
１０２  無線通信装置
１１１  入出力ポート
１１２  入出力ポート
１１３  入出力ポート
１２０  パケット転送処理手段
１３０  リンクアグリゲーション処理手段
１４１  無線信号処理手段
１４２  無線信号処理手段
１４３  無線信号処理手段
２０１  無線通信装置
２０２  無線通信装置
２１１  無線信号処理手段
２１２  無線信号処理手段
２１３  無線信号処理手段
２１４  無線信号処理手段
２１５  無線信号処理手段
２１６  無線信号処理手段
２２１  無線伝送リンク
２２２  無線伝送リンク
２２３  無線伝送リンク
２３１  高優先パケット
２３１  中優先パケット
２３１  低優先パケット
２４０  リンクアグリゲーション制御手段
２５０  パケット転送処理手段
【図１】
2013001732.tif 000003
【図２】
2013001732.tif 000004
【図３】
2013001732.tif 000005
【図４】
2013001732.tif 000006
【手続補正書】
【提出日】平成25年12月17日(2013.12.17)
【手続補正１】
【補正対象書類名】特許請求の範囲
【補正対象項目名】全文
【補正方法】変更
【補正の内容】
【特許請求の範囲】
【請求項１】
第１の装置及び第２の装置が、複数の物理リンクを並行利用する無線伝送路により無線データ通信を行い、
前記第１の装置及び前記第２の装置は、
データの入出力を行う入出力ポートと、
それぞれ異なる前記物理リンクを制御するとともに、前記物理リンク毎の受信信号レベルを測定し、前記受信信号レベルを相手側装置に通知する複数の無線信号処理手段と、
相手側装置の前記無線信号処理手段から通知される前記物理リンク毎の信号レベルに基づいて、前記物理リンクの優先度をそれぞれ決定するリンクアグリゲーション制御手段と、
前記無線伝送路を構成する前記物理リンクのうち、所定の容量の使用可能帯域を有しかつ前記優先度の高い前記物理リンクをデータ送出先として選択するパケット転送処理手段とを有する
無線伝送システム。
【請求項２】
第１の装置及び第２の装置が、複数の物理リンクを並行利用する無線伝送路により無線データ通信を行い、
前記第１の装置及び前記第２の装置は、
データの入出力を行う入出力ポートと、
それぞれ異なる前記物理リンクを制御する複数の無線信号処理手段と、
前記無線伝送路を構成する前記物理リンクのうち、所定の容量の使用可能帯域を有しかつ優先度の高い前記物理リンクをデータ送出先として選択するパケット転送処理手段とを有し、
前記第２の装置の無線信号処理手段は、前記物理リンク毎の受信信号レベルを測定し、前記受信信号レベルを前記第１の装置に通知し、
前記第１の装置は、前記第２の装置から通知される前記物理リンク毎の信号レベルに基づいて、前記物理リンクの優先度をそれぞれ決定するとともに、前記優先度を、前記第１の装置及び前記第２の装置のパケット転送処理手段に通知するリンクアグリゲーション制御手段をさらに有する
無線伝送システム。
【請求項３】
第１の装置及び第２の装置が、複数の物理リンクを並行利用する無線伝送路により無線データ通信を行い、
前記第１の装置及び前記第２の装置は、
データの入出力を行う入出力ポートと、
それぞれ異なる前記物理リンクを制御する複数の無線信号処理手段と、
前記無線伝送路を構成する前記物理リンクのうち、所定の容量の使用可能帯域を有しかつ優先度の高い前記物理リンクをデータ送出先として選択するパケット転送処理手段とを有し、
前記第１の装置の無線信号処理手段は、前記物理リンク毎の受信信号レベルを測定し、
前記第１の装置は、前記受信信号レベルに基づいて、前記物理リンクの優先度をそれぞれ決定するとともに、前記優先度を、前記第１の装置及び前記第２の装置のパケット転送処理手段に通知するリンクアグリゲーション制御手段をさらに有する
無線伝送システム。
【請求項４】
前記無線信号処理手段は、通知された前記受信信号レベルに基づいて、前記物理リンク毎の変調方式を決定し、
前記リンクアグリゲーション制御手段は、前記物理リンク毎の前記変調方式に基づいて、前記物理リンク各々の前記優先度を決定する
請求項１乃至３いずれか１項記載の無線伝送システム。
【請求項５】
前記データはパケット優先度を含んでおり、
前記パケット転送処理手段は、前記パケット優先度により決定される順序に従って、前記優先度の高い前記物理リンクに前記データを送出する
請求項１乃至４いずれか１項記載の無線伝送システム。
【請求項６】
データの入出力を行う入出力ポートと、
無線伝送路を構成し並行利用される複数の物理リンクの１つを制御するとともに、前記物理リンク毎の受信信号レベルを測定し、前記受信信号レベルを相手側装置に通知する複数の無線信号処理手段と、
相手側装置の無線信号処理手段から通知される前記物理リンク毎の信号レベルに基づいて、前記物理リンクの優先度をそれぞれ決定するリンクアグリゲーション制御手段と、
前記無線伝送路を構成する前記物理リンクのうち、所定の容量の使用可能帯域を有しかつ前記優先度の高い前記物理リンクをデータ送出先として選択するパケット転送処理手段とを有する
無線伝送装置。
【請求項７】
前記無線信号処理手段は、通知された前記受信信号レベルに基づいて、前記物理リンク毎の変調方式を決定し、
前記リンクアグリゲーション制御手段は、前記物理リンク毎の前記変調方式に基づいて、前記物理リンク各々の前記優先度を決定する
請求項６記載の無線伝送装置。
【請求項８】
前記データはパケット優先度を含んでおり、
前記パケット転送処理手段は、前記パケット優先度により決定される順序に従って、前記優先度の高い前記物理リンクに前記データを送出する
請求項６乃至７いずれか１項記載の無線伝送装置。
【請求項９】
無線伝送路を構成し並行利用される複数の物理リンクをそれぞれ制御するとともに、前記物理リンク毎の受信信号レベルをそれぞれ測定し、前記受信信号レベルを通信相手に通知し、
通信相手から通知される前記物理リンク毎の信号レベルに基づいて、前記物理リンクの優先度をそれぞれ決定し、
前記無線伝送路を構成する前記物理リンクのうち、所定の容量の使用可能帯域を有しかつ前記優先度の高い前記物理リンクをデータ送出先として選択する
無線伝送方法。
【請求項１０】
コンピュータを、
無線伝送路を構成し並行利用される複数の物理リンクをそれぞれ制御するとともに、前記物理リンク毎の受信信号レベルをそれぞれ測定し、前記受信信号レベルを通信相手に通知し、
通信相手から通知される前記物理リンク毎の信号レベルに基づいて、前記物理リンクの優先度をそれぞれ決定し、
前記無線伝送路を構成する前記物理リンクのうち、所定の容量の使用可能帯域を有しかつ前記優先度の高い前記物理リンクをデータ送出先として選択するよう動作させる
無線伝送プログラム。
【国際調査報告】
2013001732.tif 000007
2013001732.tif 000008
2013001732.tif 000009
2013001732.tif 000010